Podtech/llm-jp-corpus-v4-ja_patent huggingface dataset:
(57)【要約】【課題】表、裏、両面使用を可能にし、首輪の商品価値を高めるとともに、個性的な首輪を提供する。【解決手段】首輪本体２の両端にアルファベット文字Ｄ状の係止環３を連結し、係止環３に締付用緩衝鎖４を摺動可能に挿通し、この鎖４の両端にリング５を連結して無端状に形成する。首輪本体２の表面、裏面には異なった色、模様、素材を組み合わせる。【選択図】図１
0003155784.tif 000002
【実用新案登録請求の範囲】
【請求項１】
首輪本体の両面に第１の係止リングをそれぞれ取り付け、この第１の係止リングに締付用緩衝鎖を挿通してこの鎖の両端を第１の係止リングの内径よりも小さな第２のリングを取り付けて無端状にしたことを特徴とする愛玩動物用首輪。
【考案の詳細な説明】
【技術分野】
【０００１】本考案は、犬や猫等の愛玩動物用の首輪に関し、特に首輪の両面を使えるような構造とした愛玩動物用首輪に関するものである。
【背景技術】
【０００２】散歩時等において犬等が突然走り出すことを防止し、それに伴う飼い主の事故を防ぐことができ、犬等の首に対してもやさしく適応する首輪が提案されている［特許文献１参照］、しかし、特許文献１に開示される愛玩動物首輪は首輪本体の片面しか使用できなかった。
【先行技術文献】
【特許文献】
【０００３】
【特許文献１】特開２００２−１１０号  公報
【考案の概要】
【考案が解決しようとする課題】
【０００４】上記従来ものは首輪本体に締付用緩衝鎖を結合して無端状にしていたため、裏の使用出来ないものであった。本考案は、首輪本体を反転させ両面を使用出来る新規な首輪を得ることを目的とする。
【課題を解決するための手段】
【０００５】本考案は、首輪本体の両端に第１の係止リングをそれぞれ取り付け、締付用緩衝鎖を第１の係止リングのそれぞれに挿通して第１の係止リングの内径よりも小さい第２のリングで連結することにより首輪本体の両面を使用することができるようにした。
【考案の効果】
【０００６】本考案に係る考案は飼い主の意志により、愛玩動物に表、裏、両面使い分ける事が出来るとともに、装着動物に美的価値を付与することができる。
【図面の簡単な説明】
【０００７】
【図１】本考案の愛玩動物用首輪の一実施例を示す斜視図である。
【考案を実施するための形態】
【０００８】首輪本体の両端に第１の係止リングをそれぞれ取り付け、この第１係止リングに締付用緩衝鎖を挿通してこの鎖の両端を第１の係止リングの内径よりも小さな第２のリングを取り付けて無端状にして首輪本体を両面使用できるようにした。
【実施例】
【０００９】図１において１は首輪であり、首輪主体２、アルファベット文字Ｄ状係止リング３、締付用緩衝鎖４、リング５を主要部分として構成される。上記、締付用緩衝鎖４はアルファベット文字Ｄ状係止リング３に摺動可能に挿通した後、アルファベット文字Ｄ状係止リング３の内径よりも小さな外径リング５に連結して無端状に形成する。【００１０】そして、愛玩動物に装着する時には、ひき紐（リード）６をリング５に連結させて頭からかぶせることにより装着する。また、表、裏、を変える場合、引き紐（リード）６をリング５より外し、首輪本体を反転させてリング５をどちらか一方のアルファベット文字Ｄ状係止リング３に通し、引き紐（リード）６をリング５に連結し、頭からかぶせて装着使用する。【００１１】上記実施例によれば、飼い主の意志で異なる色や模様、素材の選択が、１本の首輪で可能となり、これを愛玩動物に装着して、該動物の美的感覚を高める事が出来る。
【符号の説明】
【００１２】１．愛玩動物の首輪
２．首輪主体
３．アルファベット文字Ｄ状係止リング
４．締付用緩衝鎖
５．リング
６．引き紐（リード）
【図１】
0003155784.tif 000003
(57)【要約】      （修正有）【課題】懐中電灯のホルダーに、懐中電灯の電光をホルダー外部へ照射できる機能とボルトや鋲によって事業用の固定建造物に固定されることが可能になるホルダーを提供する。【解決手段】懐中電灯を収容することが可能な形状のホルダーであって、格子状の底を有する箱型のスタンド１に鉤状のアーム２が取り付けられると共に、前記アームに縦方向と横方向の両方に穴３があけられたことを特徴とする。【選択図】図１
0003155781.tif 000002
【実用新案登録請求の範囲】
【請求項１】
懐中電灯を収容することが可能な形状のホルダーであって、格子状の底を有する箱型のスタンドに鉤状のアームが取り付けられると共に、前記アームに縦方向と横方向の両方に穴があけられたことを特徴とするホルダー。
【考案の詳細な説明】
【技術分野】
【０００１】  本考案は、懐中電灯を収容することが可能な形状を有するホルダーに関する。
【背景技術】
【０００２】  従来、懐中電灯を収容することが可能な形状を有する懐中電灯のホルダーは、その様々な使用目的に応じた多様な形状の製品が生産され使用されている。しかしながら、それらは構造的に短いパイプを縦割りにしたようなものである。【０００３】  懐中電灯のホルダーの機能は、自転車に取り付けることで懐中電灯を自転車用の電灯として利用できるようにしたり、懐中電灯を家屋の壁面付近で収納したり、懐中電灯を建造物に固定してこれを固定電灯として利用できるようにすることである。特に期待されているのが、工場等の事業場で夜間の点検業務や作業を行う人が懐中電灯を手に持つことなく懐中電灯で照明対象物を照明できるようにする機能であるが、これは、設置したい場所が木製で且つ縦方向に平面である場合にのみ有効に働く機能であり、懐中電灯のホルダーが積極的に事業場に於ける照明器具を置く為の台としての役割を果たすことができる訳ではない。【０００４】  なお、本願考案に関連する公知技術として次の特許文献１を挙げることができる。【０００５】
【特許文献１】  登録実用新案第３０２８２８３号
【考案の開示】
【考案が解決しようとする課題】
【０００６】  上記の如く、従来技術に係る懐中電灯のホルダーは、事業場内で懐中電灯を固定電灯の代用品として利用する際にその設置したい箇所が木製で且つ縦方向に平面である場合にのみ有効に働く機能であり、懐中電灯のホルダーが積極的に事業場に於ける照明器具を置く為の台としての役割を果たすことができる訳ではないので、この懐中電灯のホルダーを事業場の照明器具の設置用具として用いても、それだけでは夜間の照明対象物全てを全て懐中電灯の灯光で照明することは難しい。【０００７】  このため、固定電灯の配備が不足している事業場では、夜間、暗い場所で人が単独で点検又は作業をする時には、人が懐中電灯を手に持ちその懐中電灯の照明を頼りに片手で点検又は作業をするか、照明対象物の付近に懐中電灯を置くなどして点検又は作業をする場所を明るくしその照明対象物を有効に照明できない状態で点検又は作業をしなければならないのが現状である。【０００８】  本考案は、このような点を考慮し成された物であり、その目的は、懐中電灯のホルダーに、懐中電灯の電光をホルダー外部へ照射できる機能とボルトや鋲によって事業用の固定建造物に固定されることが可能になる機能を持たせることで、事業場の夜間作業で手軽に懐中電灯を照明器具として利用することができるようにすることにある。
【課題を解決するための手段】
【０００９】  上記の目的を達成する本考案の事業用懐中電灯ホルダーは、懐中電灯を収容することが可能な形状のホルダーであって、格子状の底を有する箱状のスタンドに鉤状のアームが取り付けられると共に、前記アームに縦方向と横方向の両方に穴があけられたことを特徴とする。
【考案の効果】
【００１０】  以上説明したように、本考案によれば、格子状の底を有する箱状のスタンドに鉤状のアームを取り付け、そのアームに縦方向と横方向の両方に穴をあけたので、懐中電灯のホルダーに懐中電灯の電光をホルダー外部へ照射できる機能とボルトや鋲によって事業用の固定建造物に固定されることが可能になる機能を持たせることが可能となる。この事業用懐中電灯ホルダーを例えば事業所の電灯を有していない屋外倉庫内部に設置してその事業用懐中電灯ホルダーに点灯中の懐中電灯をそのまま置くことができるようにすることで、事業場の夜間作業で手軽に懐中電灯を照明器具として利用することが可能となり、事業場に於ける夜間の照明器具の配備が無い箇所での懐中電灯の利用促進に有効である。
【考案を実施するための最良の形態】
【００１１】  以下、本考案の実施の形態を図面に基づき詳細に説明する。【００１２】  図１から図４は、本考案の第１の実施の形態に係り、図１はその外観斜視図、図２はその正面図、図３はその利用中の状態の横面図である。【００１３】  図１で示すように、本事業用懐中電灯ホルダーは、格子状の底を有する箱型のスタンド１に鉤状のアーム２を取り付け、そのアーム２に縦方向と横方向の両方に向けて穴３をあけたものである。【００１４】  図１、図２で示すように、アーム２は、全体的に鉤状の形状を成していて、その身体は
0003155781.tif 000003
【００１５】  図１で示すように、図１で示すようにアーム２にあけられた穴３は縦方向に２箇所以上、横方向に２箇所以上あけられている。【００１６】図１で示すように、スタンド１は、全体的に箱型の形状を成し、底部が格子４で構成されている。【００１７】  図３で示すように、スタンド１は市販の大型懐中電灯をグリップ部分が上側になり電灯部分が下側になるように収容できる程の大きさをしている。【００１８】  図３で示すように、スタンド１底部内側からアーム２の穴３が有る側の先端部内側までの距離は、市販の大型懐中電灯の長さより長くなっている。【００１９】  図１で示すように、スタンド１の底部分を構成する格子４の開口部の幅は、懐中電灯５の電灯部分が通り抜けず且つ電光６をスタンド１下部方向の外部まで充分に通せる程の長さである。【００２０】  スタンド１とアーム２の接合方法は、鋲止め、螺子止め、溶接、接着剤使用等、接合が出来る工作方法なら何でも良い。【００２１】  格子４をスタンド１木体へ接合する方法は、鋲止め、螺子止め、溶接、接着剤使用等、接合が出来る工作方法なら何でも良い。【００２２】  スタンド１及びアーム２の素材は、金属、プラスチック、ＦＲＰ等、市販の大型懐中電灯を積載することによる荷重に耐えられるものならば何でも良い。
【産業上の利用可能性】
【００２３】  本考案は、建造物の備品を製造、販売する産業分野で利用する事ができる。
【図面の簡単な説明】
【００２４】
【図１】  本考案の第１の実施の形態に係る事業用懐中電灯ホルダーの外観斜視図である。
【図２】  図１の事業用懐中電灯ホルダーの正面図である。
【図３】  図１の事業用懐中電灯ホルダーの利用中の状態の横面図である。
【符号の説明】
【００２５】１        スタンド
２        アーム
３        穴
４        格子
５        懐中電灯
６        電光
７        鋲
８        建造物
【図１】
0003155781.tif 000004
【図２】
0003155781.tif 000005
【図３】
0003155781.tif 000006
(57)【要約】      （修正有）【課題】雨天時にレインコートフードを固定してバタツキを防止するとともに、前方からの雨による顔濡れを防止し、自転車等の安全な走行を補助するダブルサンバイザーを提供する。【解決手段】可動式サンバイザーのひさしを、クリップを取り付けた有色の上側ひさしと透明素材の下側ひさしの二枚にし、一枚をレインコートフードの固定用、もう一枚を顔濡れ防止用にする。【選択図】図１
0003155782.tif 000002
【実用新案登録請求の範囲】
【請求項１】
可動式サンバイザーのひさしを、クリップを取り付けた有色の上側ひさしと、透明素材にした下側ひさしの二枚にし、晴天時は二枚とも顔前に下ろし陽光を裂けるとともに、雨天時には上側ひさしに取り付けたクリップでレインコートフードを挟むことでバタツキを抑え、また透明な下側ひさしを顔前に可動させることで前方からの雨による顔濡れを防止し、雨天時の自転車運転等の安全度を向上させることができるダブルサンバイザー
【考案の詳細な説明】
【技術分野】
【０００１】  本考案は、ひさし可動式サンバイザーのひさしを二枚取り付けることにより、雨天時は上側のひさしでレインコートフードを固定するとともに、下側のもう一枚のひさしにより顔面を雨から防護するものである。
【背景技術】
【０００２】  雨天時にレインコートを着用して自転車を運転する場合、風によるレインコートフードのバタツキや顔にかかる雨のため、運転に支障をきたしていた。
【考案の概要】
【０００３】  晴天時は従来どおり陽光から顔を保護するとともに、雨天時の自転車運転時に着用したレインコートフードのめくれやバタツキ、また雨による顔濡れを解決する。
【考案が解決しようとする課題】
【０００４】  雨天の自転車運転時にレインコートを着用したときに発生するレインコートフードのバタツキや、雨による顔濡れ等による安全運転に対する支障を解決しようとするものである。
【課題を解決するための手段】
【０００５】  可動式サンバイザーのひさしを、上側はクリップをつけた有色素材、下側は透明素材の二枚重ねとし、雨天時には上側ひさしに取付けたクリップにレインコートフードを挟み固定することで、レインコートフードのばたつきを防止するとともに、透明な下側ひさしを顔前に下ろすことで、視界を確保しつつ雨による顔濡れを防止するものである。
さらに、晴天時は上側有色ひさしを顔前に下ろし陽光から顔面を保護するため、二枚のひさしを着脱の容易な面ファスナー（マジックテープ）を利用して張り合わせることで、同時に可動させることができるとともに、簡単に剥がして二枚個別に可動させることも可能となる。また、頭部の空いているサンバイザーとすることで頭髪の乱れも軽減できる。
【考案の効果】
【０００６】  前述のようにレインコート着用時の問題を解決することにより、自転車運転時に傘を使用するという法律違反を防ぐとともに、安全な走行を確保できる。
【考案を実施するための最良の形態】
【０００７】  ひさし可動式サンバイザーのひさしを、上側は陽光遮断用の有色素材、下側は視界を確保するための透明素材で作成したものの二枚重ねとし、二枚同時に稼動できるように相互を面ファスナー（マジックテープ）で張り合わせる。上側有色ひさしには、レインコートのフードを挟みこめるように上部に開くクリップをひさしの左右二箇所に取り付ける。これにより、晴天時は面ファスナー（マジックテープ）で二枚のひさしを貼り付けたまま下部に倒すことで、簡単に陽光から顔を保護でき、また雨天時は、上部ひさしのクリップにレインコートのフードを挟み固定することでフードのばたつきを防ぐとともに、貼り付けていた面ファスナー（マジックテープ）を剥がし、下側ひさしを単独で下部に倒すことで正面から顔にかかる雨を防ぐことができる。髪型の乱れを考慮する場合は頭頂部の開いたサンバイザー型が有効であるが、キャップ型等でも同じ効果を得ることができる。
【実施例】
【０００８】    以下、添付図面に従い実施例を説明する。１はひさし可動式サンバイザーを頭部に固定するためのベルト、２はひさしをベルトに固定するとともに可動の支点となるピン、３は陽光の遮断およびレインコートフードの固定に使う上側ひさし、４は雨天時に前方からの雨を防ぐための下側ひさしである。５はレインコートフードを挟むためのクリップ、６は二枚のひさしを貼り合わすための面ファスナー（マジックテープ）である。【０００９】  ５は金属またはプラスチック製で、片方を上側ひさし上面の左右二箇所に、レインコートフードを挟み易いように頭側（内側）にクリップが開くよう固定する。６の面ファスナー（マジックテープ）は、二枚のひさしを同時に可動できるように貼り合わすためのもので、上側ひさしと下側ひさしで挟むように接合部分の左右二箇所に取り付ける。前方からの雨よけ等、下側透明ひさしを個別に可動させたい場合は、面ファスナー（マジックテープ）を剥がし下側ひさしだけを可動させ使用する。
【図面の簡単な説明】
【００１０】
【図１】本考案品の平面図、立面図および装着イメージ図である。
【図２】上側ひさしにクリップ、上下ひさしの間に面テープを取り付けたイラストである。
【符号の説明】
【００１１】  １  ひさし可動式サンバイザーを頭部に固定するためのベルト
２  ひさし固定用ピン
３  上側ひさし（有色）
４  下側ひさし（透明）
５  クリップ
６  ひさし貼り付け用面ファスナー（マジックテープ）
【図１】
0003155782.tif 000003
【図２】
0003155782.tif 000004
(57)【要約】      （修正有）【課題】サバイバルゲームにおいて、装着者の身体的特徴や好みに合わせた調整を行なう事を可能とし、口及びその周辺を保護するマスク状の保護器具を提供する。【解決手段】装着者の輪郭に沿うよう柔軟性且つ耐久性のある布や紙、樹脂等の素材で構成されており、加えて顎周辺に装着する基礎部分と正面から側面に掛けて保護する防護部分をそれぞれ別個の構造を有し、これにより基礎部分に対し防護部分の取り付け位置や角度等を変更する事で装着者の身体的特徴や好みに合わせた調整を可能にする。【選択図】図２
0003155728.tif 000002
【実用新案登録請求の範囲】
【請求項１】
装着者の口周辺を覆うように装着し、覆った部分を保護するマスク状の構造を有し、且つ装着者の好み及び身体的特徴に合わせた調整が可能である構造を一つの物体に同時に設けた構造を有する口部分保護覆い。
【考案の詳細な説明】
【技術分野】
【０００１】本考案はサバイバルゲームにおいて、装着者の口の部分を物理的な被弾から保護するための道具に関する。
【技術背景】
【０００２】世間に存在する趣味の一つに、サバイバルゲームと言う遊戯が存在する。法律的に許可または違法性の無い玩具銃や軍装等を使用し、弾丸で撃ち合い仮想的に戦闘を体験するものである。基本的な規定としては、弾丸が参加者の身体及び所持する装備に命中することで一部例外を除き、致命的損傷と判断され、被弾者は一定の条件下において遊戯参加権を失効することになるというものである。遊戯へ参加する際には、参加者が一定の強度などの条件を充たした保護器具を着用し眼球の保護を行なう事が最低限の義務となっている。しかし、それ以外の顔面部分を含む身体の保護に関する規定は、主催者によって例外はあるが、個々人の裁量に任されている。
【考案の開示】
【考案が解決しようとする課題】
【０００３】サバイバルゲームにおいて、口及びその周辺を保護する目的のマスク状の保護器具があるが、既存の物には一体型の構造のものしか存在せず、装着者の身体的特徴や好みに合わせた調整を行なう事は構造上不可能である。
【課題を解決するための手段】
【０００４】装着者の輪郭に沿うよう柔軟性且つ耐久性のある布や紙、樹脂等の素材で構成されており、加えて顎周辺に装着する基礎部分と正面から側面に掛けて保護する防護部分をそれぞれ別個の構造を有し、これにより基礎部分に対し防護部分の取り付け位置や角度等を変更する事で装着者の身体的特徴や好みに合わせた調整を可能にしたもの。その構造により上記の課題を解決する手段とする。
【考案の効果】
【０００５】サバイバルゲームにおいて、口及びその周辺を保護する目的のマスク状の保護器具があるが、従来の物には一体型の構造のものしか存在せず、装着者の身体的特徴や好みに合わせた調整を行なう事は構造上不可能であった。
【考案を実施するための最良の形態】
【０００６】装着者の輪郭に沿うよう柔軟性且つ耐久性のある布や紙、樹脂等の素材で構成されており、加えて顎周辺に装着する基礎部分と正面から側面に掛けて保護する防護部分をそれぞれ別個の構造を有し、これにより基礎部分に対し防護部分の取り付け位置や角度等を変更する事で装着者の身体的特徴や好みに合わせた調整を可能にしたもの。
【図面の簡単な説明】
【０００７】
【図１】基礎部品装着図
【図２】完全装着図
【図３】分離側面図
【図１】
0003155728.tif 000003
【図２】
0003155728.tif 000004
【図３】
0003155728.tif 000005
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
口部分保護覆いは、装着者の顎の部分に装着する基礎部品とそれに装着し実際に口元を覆い保護するマスク状の保護部品の二点で構成されており、基礎部品と保護部品の接続部分は取り付け及び取り外しが自由に行える仕様になっており、それにより装着の際に取り付けの角度や高さ等を装着者の好み及び身体的特徴に合わせた調整が可能である構造を有する口部分保護覆い。
【手続補正書】
【提出日】平成21年8月28日(2009.8.28)
【手続補正１】
【補正対象書類名】実用新案登録請求の範囲
【補正対象項目名】全文
【補正方法】変更
【補正の内容】
【実用新案登録請求の範囲】
【請求項１】
口部分保護覆いは、装着者の下顎の部分を覆う様に装着する基礎部品とそれに接続し実際に口元を覆い保護するマスク状の保護部品の二点から構成されており、基礎部品と保護部品の接続は付け外しが自由に行える事で装着の際に取り付けの角度や高さ等を装着者の好み及び身体的特徴に合わせた調整が可能である構造を有する口部分保護覆い。
(57)【要約】      （修正有）【課題】車の助席シート上から、一時置きした小物が落下しないように座布団形トレイを付けた、小物落下防止用トレイを提供する。【解決手段】車用座布団、小さい正方形座布団に外周にクションの枠を付けて、−部が連続して開閉自在に小座布団へ取り付けられた枠、この枠の低面を覆う底材と枠のー部にー端が取り付けられ座席に固定するための、ひも状具を備えた小座布団を持ち上げると開いた状態で小物を枠内に収容可能にして車用座布団形トレイを構成する。【選択図】図３
0003155725.tif 000002
【実用新案登録請求の範囲】
【請求項１】
車用座布団、座面の中央内側を持ち上げると座布団形トレイである。
【考案の詳細な説明】
【技術の分野】
【０００１】この発明は助席空席時にシート上に物を置くと停止しかけ、とか右左折時に物が、ころげ落下を防止する車用座布団形トレイに関するものである。
【背景技術】
【０００２】従来、車シートの上に小物を無造作に置いていた。
【考案の開示】
【考案が解決しようとする課題】
【０００３】そのために、次のような問題点が生じていた。
シート上に物を置と停止しかけ、とか右左折時に物がころげ落下、左側ドアとシートのすきま又助席足もとに落ちて拾い上゛るに、それがとても面倒だった。以上の問題点を解決したものである
【課題を解決するための手段】
【０００４】小さい座布団に外周にクシヨンの枠を付けて内側を上げると座布団形トレイが使用できる。
【考案の効果】
【０００５】したがって、車のシート周井とカ足元への落下物が無く一つ一つ手で取る煩わしさがなくなった。
【考案を実施するための最良の形態】
【０００６】以下、本発明の実施の形態について説明をする。
（イ）スポヂ底面（３）にスポンヂ枠（２）の中央にスポンヂ小（１）小の入っいる、小のスポンヂを上え持ち上げてトレイとなる車助席に（４）ひもで縛り付けて使用する、運転中にトレの中の小物落下防止となる。
【図面の簡単な説明】
【０００７】
【図１】本発明の斜視図
【図２】本発明の原理説明図
【図３】本発明の使用説明図
【符号の説明】
【０００８】１はスポンヂ小
２はスポンヂ枠
３はスポンヂ底面
４はひも
【図１】
0003155725.tif 000003
【図２】
0003155725.tif 000004
【図３】
0003155725.tif 000005
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
車用座布団、小さい正方形座布団に外周にクションの枠を付けて、−部が連続して開閉自在に小座布団へ取り付けられた枠、この枠の低面を覆う底材と枠のー部にー端が取り付けられ座席に固定するための、ひも状具を備えた小座布団を持ち上げると開いた状態で小物お枠内に収容可能にした車用座布団形トレイ。
(57)【要約】      （修正有）【課題】簡便な構造で連続性・順序性を保つ複数月表示のカレンダーを提供する。【解決手段】常に当月と翌月を同時に表示し、順序性・連続性を保ったままの利用・保存を可能にするために、冊子の各ページの小口側の２分の１程度の範囲に月表を配置し、各ページの背から４分の１程度の部分に折り線２を設け、折り線２を山折りにして折り畳むことによって、次ページの小口側２分の１程度を露出させて、複数月表示が可能なカレンダーを構成する。【選択図】図１
0003155724.tif 000002
【実用新案登録請求の範囲】
【請求項１】
常に当月と翌月を同時に表示し、順序性・連続性を保ったまま利用・保存が可能であることを特徴とする複数月表示が可能なカレンダー。
【請求項２】
表示状態を保持するために、吊下穴など、固定するための仕組みを有する請求項１記載のカレンダー。
【考案の詳細な説明】
【技術分野】
【０００１】  この発明は、カレンダーの形状に関する。
【背景技術】
【０００２】  従来の複数月表示カレンダーは、翌月のカレンダーが見えない期間があったり、月の順序が下から上へ不自然に並んでいたり、切り取ったページを綴じ替える必要があるなど、簡便で自然な利用は実現できていなかった。また、順序性が保たれる製品は構造が複雑なため、高価であった。
【考案の開示】
【考案が解決しようとする課題】
【０００３】  従来の複数月表示カレンダーでは、翌月のカレンダーが表示されない期間がある問題や、利用中に表示の順序が不自然になるなどの問題があった。
順序性を保つために切り取ったページを綴じ替える方法は、記録として保存する際に欠落が発生しやすく、また、利用方法も簡便とは言えない。
奇数月と偶数月を別の冊子に綴じる方法は、構造の複雑さや、記録として利用する際の連続性の欠如などの問題があった。
そこで、この発明は、簡便な構造で連続性・順序性を保つ複数月表示のカレンダーを提供することを課題とする。
【課題を解決するための手段】
【０００４】
0003155724.tif 000003
程度のところで山折りにして上方へずらし、当月ページの下に翌月のページを表示するカレンダーである。使用後のページは切り離さずに、後ろへ折り返して使用することにより、欠落を防ぐことができる。
また、第二発明は表示状態を保持するために、吊下穴など、固定するための仕組みを有するカレンダーである。
【考案の効果】
【０００５】  第一発明、または第二発明によれば、簡単な構造で、常に順序性を保ったまま翌月または複数月の表示が可能である。切り取りや綴じ替えの必要がないため、使用方法が簡便で、欠落が発生せず、保存性がよい。また、１冊の冊子にまとまっているため、記録としての連続性が保たれる。
年度末には２つのカレンダーを同時に使用し、円滑に切り替えることが可能である。
【考案を実施するための最良の形態】
【０００６】  この発明の一実施形態を図１に、利用方法を図２に示す。
カレンダー本体は冊子状で、この本体１の各ページに山折り線２を設け、その表示状態を保持するために吊下穴３を設けている。【０００７】「実施形態の効果」
図１の実施形態によれば、吊下穴３を使用してカレンダーを吊り下げた状態で設置した際に、図２に示すように表示状態が固定され、翌月以降のページの山折り線２と吊下穴３は当月のページに隠される。【０００８】「他の実施形態」
図１の実施形態では、１ページに１カ月表示で、吊下穴３が１組となっているが、１ページ複数月表示や複数組の吊下穴３を設けたものでも良い。
また、図３・図４・図５に示すように、吊下穴３の位置や形状の変更や、ページに固定用の切込などを設けることで、卓上での利用も可能である。
【図面の簡単な説明】
【０００９】
【図１】この発明の一実施形態を示す斜視図である。
【図２】この発明の利用方法を示す斜視図である。
【図３】この発明の一実施形態を示す斜視図である。
【図４】この発明の一実施形態を示す斜視図である。
【図５】この発明の一実施形態を示す斜視図である。
【符号の説明】
【００１０】  １  カレンダー本体
２  山折り線
３  吊下穴
４  吊下フック
５  吊下穴突起
６  固定用切り込
【図１】
0003155724.tif 000004
【図２】
0003155724.tif 000005
【図３】
0003155724.tif 000006
【図４】
0003155724.tif 000007
【図５】
0003155724.tif 000008
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
0003155724.tif 000009
月を同時に表示し、順序性・連続性を保ったまま利用・保存が可能であることを特徴とする複数月表示が可能なカレンダー。
【請求項２】
当月ページを折り畳んで翌月ページを露出させた状態を保持するために、当月ページの山折りに折り畳んだ折り返し部分に吊下穴を設けることで壁掛け使用の際に当月ページを折り畳んだ状態で固定したり、当月ページを折り畳んだ状態で背側と小口側を各ページに設けた固定用切り込みで連結して折り畳んだ状態をを固定するなど、当月ページを折り畳んだ状態で固定するための仕組みを有する請求項１記載のカレンダー。
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
常に当月と翌月を同時に表示し、順序性・連続性を保ったままの利用・保存を可能
0003155724.tif 000010
ンダー。
【請求項２】
当月ページを折り畳んで翌月ページを露出させた状態を保持するために、当月ページの山折りに折り畳んだ折り返し部分に吊下穴を設けることで壁掛け使用の際に当月ページを折り畳んだ状態で固定したり、当月ページを折り畳んだ状態で背側と小口側を各ページに設けた固定用切り込みで連結して折り畳んだ状態を固定するなど、当月ページを折り畳んだ状態で固定するための仕組みを有する請求項１記載のカレンダー。
(57)【要約】      （修正有）【課題】ペットがよく遊びストレス解消、運動不足解消に役立ち、尚かつ、爪、歯などによる破損も少なく安全にも考慮した玩具を提供する。【解決手段】玩具本体に握り手パイプ２を通し、その中にビーズ３を通し、ゴムキャップ４でピアノ線１の安定性とビーズ３の飛び出しを防ぐ。ゴムキャップ４ａでピアノ線１の抜けを防止し、握った手の安全性を確保し、重り５でモール６の抜け防止と、分銅の役割を課す。モール６は回転し、ペットと直接触れ合う。【選択図】図１
0003155729.tif 000002
【実用新案登録請求の範囲】
【請求項１】
今までの玩具（通称  猫じゃらし）より丈夫で、万が一破損した場合でも全ての部位が交換または修理が可能な事を特徴とする玩具である。
【請求項２】
ここから書き始めます。
【考案の詳細な説明】
【技術分野】
【０００１】本考案はペットのストレス軽減、運動不足の解消などに関するものである。
【背景技術】
【０００２】今までの玩具製品（プラスチック製）だと動きが鈍い、壊れやすい。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【・・・・】
プラスチック製品は動きが鈍く、強度が弱い。すぐに壊れてしまい経済的負担も大きく、また何度も買い行く為の移動時間の負担、労働的負担も大きい。従って、プラスチック部分に金属を使うことによって強度の弱さを解決し、壊れにくくなったことであらゆる問題を解決しようとするものである。
【課題を解決するための手段】
【・・・・】
本考案は玩具本体にピアノ線を使うことにより強度を増し、両先端部を折り返してモールが抜けるのを防止し安全を配慮し、重りを付けることにより動きを機敏にして、問題を解決している。
【考案の効果】
【・・・・】
上述の本考案ピアノ線を使うことによって動きが機敏になってペットがよく遊びストレス解消、運動不足解消に役立ち、尚且つ、爪、歯などによる破損も少なく安全にも考慮した作りになっている。
【図面の簡単な説明】
【図１】本考案の玩具の一実施例を示す正面図である。
【考案を実施するための形態】
【・・・・】
ピアノ線の片方にアクリルのパイプを通して持ち手にし、パイプの空洞部分に色合いをよくする為にビーズを入れて、パイプを通した方のピアノ線をパイプの外側に折り曲げ、パイプの両端に安全性、安定性を含めたゴムキャップを付ける。
もう一方の先端にナイロンのモールを付け、先端を折り曲げ、ナイロンのモールが落ちないようにし、モールの下にモールがずれない為と動きをよくする為の重りを付ける。
【実施例】
【・・・・】
以下、添付図面に従って一実施例を説明する。１は耐久性と強度の強いピアノ線。２は持ち手の透明のアクリルパイプ。３は色合いをよくする為おビーズ。４はゴム製で１を安定させる為とビーズが出てこなくする為。４ａは１を抜けるのを防止する為と安全面を考慮したもの。５は３がずれなくする為と動きをよくする為の鉛の重り。６はナイロンのモール。
【産業上の利用可能性】
【・・・・】
本体をピアノ線にすることによって、万が一破損した場合の各部位の交換が可能でエコロジーになる。
【符号の説明】
【・・・・】
１、玩具本体  ２、持ち手  ３、ビーズ  ４、ゴムキャップ  ５、重り  ６、モール
【図１】
0003155729.tif 000003
【図２】
0003155729.tif 000004
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
ピアノ線の片方にアクリルのパイプを通して持ち手にし、前記パイプの空洞部分に色合いをよくする為にビーズを入れ、前記パイプを通した方のピアノ線の先端部をパイプの外側に折り曲げとともに、前記パイプの両端に安全性、安定性を含めたゴムキャップを付け、前期ピアノ線の他端側にナイロンのモールを付け、振り回したときにナイロンのモールが落ちないように且つモールがずれないようにピアノ線を折り曲げて成る猫じゃらし。
【手続補正２】
【補正対象書類名】明細書
【補正対象項目名】全文
【補正方法】変更
【補正の内容】
【考案の詳細な説明】
【技術分野】
【０００１】猫じゃらしはペットのストレス軽減、運動不足の解消などに関するものである。
【背景技術】
【０００２】今までの猫じゃらしは動きが鈍く、壊れやすい。
【先行技術文献】
【特許文献】
【０００３】
【特許文献１】実開昭６２−１４８０５７号広報
【考案が解決しようとする課題】
【０００４】今までの猫じゃらしは動きが鈍く、強度が弱い。よく壊れてしまい経済的負担も大きく、また何度も買い行く為の移動時間の負担、労働的負担も大きいので解決しなければならない。
【課題を解決するための手段】
【０００５】ピアノ線の片方にアクリルのパイプを通して持ち手にし、前記パイプの空洞部分に色合いをよくする為にビーズを入れ、前記パイプを通した方のピアノ線の先端部をパイプの外側に折り曲げとともに、前記パイプの両端に安全性、安定性を含めたゴムキャップを付け、前期ピアノ線の他端側にナイロンのモールを付け、振り回したときにナイロンのモールが落ちないように且つモールがずれないようにピアノ線を折り曲げて成る猫じゃらしとして、解決している。
【考案の効果】
【０００６】前述の問題を解決したことで、壊れにくくなり経済的負担、移動時間の負担、労働的負担が減り、尚且つエコにもなります。
【図面の簡単な説明】
【０００７】
【図１】猫じゃらしの形体を示した全体図である。
【図２】猫じゃらしの一部を示した断面図である。
【実施例】
【０００８】本考案はピアノ線１に握り手アクリルパイプ２を通し、その中にビーズ３を通し、ゴムキャップ４でピアノ線１の安定性とビーズ３の飛び出しを防ぐ。ゴムキャップ４ａでピアノ線１の抜けを防止し、握った手の安全性を確保し、重り５でモール６の抜け防止と、分銅の役割。モール６は回転し、ペットと直接触れ合う部分。
【産業上の利用可能性】
【０００９】本体をピアノ線にすることによって、万が一破損した場合の各部位の交換が可能でエコロジーになる。
【符号の説明】
【００１０】１、ピアノ線
２、アクリルのパイプ
３、ビーズ
４、ゴムキャップ
５、重り
６、ナイロンのモール
【手続補正３】
【補正対象書類名】図面
【補正対象項目名】全図
【補正方法】変更
【補正の内容】
【図１】
0003155729.tif 000005
【図２】
0003155729.tif 000006
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
ピアノ線の片方にアクリルのパイプを通して持ち手にし、前記パイプの空洞部分に色合いをよくする為にビーズを入れ、前記パイプを通した方のピアノ線の先端部をパイプの外側に折り曲げとともに、前記パイプの両端に安全性、安定性を含めたゴムキャップを付け、前記ぴあの線の他端側にナイロンのモールを付け、振り回したときにナイロンのモールが落ちないように且つモールがずれないようにピアノ線を折り曲げて成る猫じゃらし。
(57)【要約】      （修正有）【課題】前面に放射する光の一部を、埋め込み型器具の内部に反射させることによって、言わば間接照明のような効果をもたらすことができるＬＥＤ照明器具を提供する。【解決手段】埋め込み型器具２の前面に反射板３を形成する。反射板３としては、白色に塗装された板、金属光沢のある板、あるいは反射光を乱反射させるための波型の板を用いても良いが、その取り付けはネジ止めあるいは埋め込み型器具の種類によってはその構造の特徴を生かして引っ掛け金具を用いても良い。【選択図】図１
0003155042.tif 000002
【実用新案登録請求の範囲】
【請求項１】
ＬＥＤ照明器具の設置方法として、オフィスなどで使用されている埋め込み器具において、背面に光を届かせることを目的とし、埋め込み器具の前面に設置して反射させることを特徴とするＬＥＤ照明器具用反射板。
【考案の詳細な説明】
【技術分野】
【０００１】  ＬＥＤ照明器具の欠点である背面に光が行かないことを改善するものである。
【背景技術】
【０００２】  ＬＥＤ照明器具は、背面に電子回路を搭載することと、ＬＥＤ素子自身が前面に光を放射し、背面には光が放出されないので蛍光管とは異なり、全体に光を放射する構造になっていないという特徴がある。【０００３】  従って、蛍光管に比較して埋め込み型の室内照明の場合に背面が暗いので、部屋がやや暗いという印象を与えてしまうという欠点を有している。
【課題を解決する手段】
【０００４】  この背面が暗いという印象を払拭するためには、何らかの方法で背面に光が到達するようにするということが望まれ、そのために埋め込み型器具の前面に反射板を形成することによってその欠点を除去することができる。
【０００５】  その方法によって前面に放射する光の一部を、埋め込み型器具の内部に反射させることによって、言わば間接照明のような効果をもたらすことができる。
【０００６】  反射板としては、白色に塗装された板、金属光沢をした板、あるいは反射光を乱反射させるための波型の板を用いても良いが、その取り付けはネジ止めあるいは埋め込み型器具の種類によってはその構造の特徴を生かして引っ掛け金具を用いても良い。
【考案の効果】
【０００７】  埋め込み型器具に反射板を設置し、ＬＥＤ照明管を取り付けたところ、器具内部まで光が届き、背面が暗いという印象を減殺することができた。
【実施例１】
【０００８】  図−１に示すような構造を実現することによって背面への光の到達が実現でき、背面の暗さが解消できた。
【図面の簡単な説明】
【０００９】
【図１】  実施例で実施したＬＥＤ照明器具の断面図
【符号の説明】  １．ＬＥＤ照明器具  ２．埋め込み型器具  ３．反射板  ４．照明器具の発光部
【図１】
0003155042.tif 000003
(57)【要約】      （修正有）【課題】水虫などの原因になる足の蒸れを防止する事が出来る靴下を提供する。【解決手段】通気性を上げるため靴下の先端を足の指すべてが見えるように切り落とし、その切った部分がほつれないように三つ折りに縫う。靴下の素材としては、綿を使用する。【選択図】図２
0003155044.tif 000002
【実用新案登録請求の範囲】
【請求項１】
靴下の先端を足の指すべてが見えるように切り落とし、その切った部分がほつれないように三つ折りに縫うことを特徴とした靴下。
【考案の詳細な説明】
【技術分野】
【０００１】
本考案は靴下に関するものである。
【背景技術】
【０００２】
従来は、足全体を覆うタイプの靴下しかなかった。
【考案の概要】
【考案が解決しようとする課題】
【０００３】
足全体を覆う靴下は蒸れるため、水虫などの原因になっていた。
【課題を解決するための手段】
【０００４】
靴下の先端を足の指すべてが見えるように切り落とし、その切った部分がほつれないように三つ折りに縫った靴下である。        
【考案の効果】
【０００５】
本考案の靴下は、足の蒸れが軽減され、水虫などの予防に効果的である。
【図面の簡単な説明】
【０００６】
【図１】足全体を覆う靴下
【図２】先端を切った靴下
【考案を実施するための形態】
【０００７】
靴下の素材には綿などを使用する。
【実施例】
【０００８】
図１を請求項１通りに作成すると図２になる。
【産業上の利用可能性】
【０００９】
通気性が向上することにより、快適に靴を履くことが可能である。
【符号の説明】
【００１０】
１  靴下
２  切り落とした部分の縫い口
【図１】
0003155044.tif 000003
【図２】
0003155044.tif 000004
(57)【要約】      （修正有）【課題】逆富士型の照明器具において、発光管の背面へ光を反射させ、より広範囲に明るさを確保するようにしたＬＥＤ照明器具を提供する。【解決手段】逆富士型器材２の中央に反射板を形成する。該反射板によって前面に放射する光の一部を、この反射板３によって反射させることによって、ＬＥＤ照明管４の背後に光を到達させる。反射板３としては、白色に塗装された板、金属光沢のある板、あるいは反射光を乱反射させるための波型の板、突起を有する板を用いても良い。その取り付けはネジ止めあるいは埋め込み型器具の種類によってはその構造の特徴を生かして引っ掛け金具を用いても良い。【選択図】図１
0003155043.tif 000002
【実用新案登録請求の範囲】
【請求項１】
ＬＥＤ照明器具の設置方法として、オフィスなどで使用されている逆富士型器具において、背面に光を届かせることを目的とし、逆富士型器具の中央に設置して反射させることを特徴とするＬＥＤ照明器具用反射板。
【考案の詳細な説明】
【技術分野】
【０００１】  ＬＥＤ照明器具の欠点である背面に光が行かないことを改善するものである。
【背景技術】
【０００２】  ＬＥＤ照明器具は、背面に電子回路を搭載することと、ＬＥＤ素子自身が前面に光を放射し、背面には光が放出されないので蛍光管とは異なり、全体に光を放射する構造になっていないという特徴がある。【０００３】  従って、蛍光管に比較して逆富士型の室内照明の場合に背面が暗いので、光量が十分でも部屋がやや暗いという印象を与えてしまうという欠点を有している。
【課題を解決する手段】
【０００４】  この背面が暗いという印象を払拭するためには、何らかの方法で背面に光が到達するようにするということが望まれ、そのために逆富士型器材の中央に反射板を形成することによってその欠点を除去することができる。
【０００５】  その方法によって前面に放射する光の一部を、この反射板によって反射させることによって、ＬＥＤ照明管の背後に光を到達させることができ、そのことによって暗いという印象を除去することができる。
【０００６】  反射板としては、白色に塗装された板、金属光沢をした板、あるいは反射光を乱反射させるための波型の板、突起を有する板を用いても良いが、その取り付けはネジ止めあるいは埋め込み型器具の種類によってはその構造の特徴を生かして引っ掛け金具を用いても良い。
【考案の効果】
【０００７】  反射板を逆富士型器具に取り付けた後にＬＥＤ照明管を取り付けたところ、照明管の背後まで光が届き、背面が暗いという印象を減殺することができた。
【実施例１】
【０００８】  図−１に示すような構造を実現することによって照明管背面への光の到達が実現でき、背面の暗さが解消できた。
【図面の簡単な説明】
【０００９】
【図１】  実施例で実施したＬＥＤ照明器具の断面図
【符号の説明】  １．ＬＥＤ照明器具
２．逆富士型器具
３．波板タイプの反射板
４．照明器具の発光部
【図１】
0003155043.tif 000003
(57)【要約】      （修正有）【課題】自転車のリフレクターを容易に取り付けることができるフロントフォークを提供する。【解決手段】レッグ６の一方にヘッドライト取り付け用金具８を一体に備える自転車のフロントフォークにおいて、ヘッドライト取り付け用金具８にリフレクターの取り付け部１８が一体に設けられてなる自転車のフロントフォーク。これによりヘッドライトとリフレクターとを互いが邪魔となることなく取り付けることができ、また、リフレクターのみの取り付け具を必要とすることなくその取り付けが行える。【選択図】図２
0003155029.tif 000002
【実用新案登録請求の範囲】
【請求項１】
レッグの一方にヘッドライト取り付け用金具を一体に備える自転車のフロントフォークにおいて、
前記ヘッドライト取り付け用金具に、リフレクターの取り付け部が一体に設けられてなることを特徴とする自転車のフロントフォーク。
【請求項２】
前記リフレクターの取り付け部が、前記ヘッドライト取り付け用金具において外側下方に延び出すように設けられていることを特徴とする請求項１記載の自転車のフロントフォーク。
【考案の詳細な説明】
【技術分野】
【０００１】  この考案は、ヘッドライト取り付け用金具を一体に備える自転車のフロントフォークにに関する。
【背景技術】
【０００２】  最近では走行の安全性を高めるように自転車にリフレクターを取り付けるようになっている。
【考案の開示】
【考案が解決しようとする課題】
【０００３】  上記リフレクターで前方に反射を行うものは通常フロントフォークのレッグに取り付けられるが、レッグにはヘッドランプ等が取り付けられるので、その取り付けスペースを確保するのが困難で、また、ヘッドランプ等にくわえてリフレクククーを別途取り付け具を用い取り付けるのには手間がかかった。【０００４】  この考案では、フロントフォークにリフレクターを容易に取り付けることができるようにすることを目的とする。
【課題を解決するための手段】
【０００５】  この考案では、レッグの一方にヘッドライト取り付け用金具を一体に備える自転車のフロントフォークにおいて、前記ヘッドライト取り付け用金具にリフレクターの取り付け部が一体に設けられてなることを特徴とする自転車のフロントフォークを提供する。【０００６】  上記構成によれば、リフレクターがフロントフォークに一体のヘッドライト取り付け用金具のリフレクターの取り付け部に取り付けられる。これによりヘッドライトとリフレクターとを互いが邪魔となることなく取り付けることができ、また、リフレクターのみの取り付け具を必要とすることなくその取り付けが行える。【０００７】  リフレクターの取り付け部がヘッドライト取り付け用金具において外側下方に延び出すように設けられることで、リフレクターを車輪と離れた位置に設けることができるとともに、ヘッドライトとリフレクターとを少し離して取り付けることができて両者の取り付けが容易になされる。
【考案の効果】
【０００８】  この考案によれば、自転車のフロントフォークにリフレクターを容易に取り付けることができるようになる。
【考案を実施するための形態】
【０００９】  図１はこの考案のフロントフォークの斜視図、図２はその要部の拡大斜視図である。フロントフォーク１は鉄製で、上部のコラム２と、その下端が連結されるクラウン４と、クラウン４の両端下側に上端それぞれが嵌合連結される一対のレッグ６のそれぞれとからなり、一方のレッグ６の中間高さ位置にヘッドライト取り付け用金具８が前方に突出するように溶接固定されている。
【００１０】  ヘッドライト取り付け用金具８は、レッグ６へ溶接固定される固定部１０と、長穴よりなるヘッドライト取り付け穴１２の設けられたヘッドライト取り付け部１４と、ヘッドライト取り付け部１４の下部から一体に外側下方に延び出すリフレクター取り付け穴１６が設けられたリフレクターの取り付け部１８とが備えられて構成されている。
【００１１】  図３は上記フロントフォーク１の使用状態を示す斜視図であり、ヘッドライト取り付け用金具８のヘッドライト取り付け部１４にヘッドライトＨが、リフレクターの取り付け部１８にリフレクターＲがそれぞれネジ固定されて取り付けられている。
【００１２】  上記のように、フロントフォーク１に一体のヘッドライト取り付け用金具８にリフレクターの取り付け部１８が設けられていてそこにリフレクターＲが取り付けできることで、別途の取り付け具を要することなくリフレクターＲが容易に取り付けできる。とくに、リフレクターの取り付け部１８が外側下方に延び出すように位置することで、リフレクターＲを車輪Ｓと離れた位置に配置することができるとともに、ヘッドライトＲとリフレクターＲとを少し離して取り付けることができて両者の取り付けが容易になされる。
【図面の簡単な説明】
【００１３】
【図１】  この考案のフロントフォークの実施形態の外観斜視図
【図２】  この考案のフロントフォークの実施形態の要部拡大斜視図
【図３】  この考案のフロントフォークの使用状態を示す斜視図
【符号の説明】
【００１４】１      フロントフォーク
６      レッグ
８      ヘッドライト取り付け用金具
１８    リフレクターの取り付け部固定穴
Ｈ      ヘッドライト
【図１】
0003155029.tif 000003
【図２】
0003155029.tif 000004
【図３】
0003155029.tif 000005